(57)【要約】【課題】撮影部の角度を変更して放射線画像の撮影を行なう放射線画像記録読取装置において、撮影部の角度に応じた補正データをより簡易な演算で取得する。【解決手段】放射線変換パネルから発生した輝尽発光光を検出する際の撮影部の角度を傾き検出器５０により検出し、その検出された角度と予め設定された複数の角度のうち上記検出された角度を挟みその角度に最近接する２つの角度とに基づいて、重み係数を算出し、その算出された重み係数と上記最近接する２つの角度に対応する補正データとに基づいて上記検出された角度に対応する補正データを算出する。【選択図】図１
2009082275.tif 000002
【特許請求の範囲】
【請求項１】
放射線源と、該放射線源から発せられ被写体を通過した放射線を受ける位置に放射線変換パネルを支持する支持部および前記放射線変換パネルへの励起光の照射により前記放射線変換パネルから発生した輝尽発光光を光電変換して前記放射線変換パネルに記録された前記被写体の放射線画像を表す画像データを取得する読取部が一体的に配設された撮影部と、該撮影部を所望の角度に傾ける角度変更手段とを備えた放射線画像記録読取装置において、
前記放射線変換パネルから発生した輝尽発光光を検出する際の前記撮影部の角度を検出する角度検出手段と、
前記撮影部の角度が予め設定された複数の角度であるときに取得した補正データを記憶する記憶手段と、
前記角度検出手段により検出された角度と前記予め設定された複数の角度のうち前記角度検出手段により検出された角度を挟み該角度に最近接する２つの角度とに基づいて重み係数を算出し、該算出された重み係数と前記最近接する２つの角度に対応する前記記憶手段に記憶された補正データとに基づいて前記角度検出手段により検出された角度に対応する補正データを算出する補正データ算出手段と、
該補正データ算出手段により算出された補正データに基づいて前記画像データを補正する補正手段とを備えたことを特徴とする放射線画像記録読取装置。
【請求項２】
前記記憶手段が、前記予め設定された各角度に対応する複数種類の補正データを記憶するものであることを特徴とする請求項１記載の放射線画像記録読取装置。
【請求項３】
前記補正データが、シェーディング補正用データおよびオフセット補正用データであり、
前記補正手段が、前記画像データに前記オフセット補正用データに基づいてオフセット補正を施した後、前記オフセット補正用データに基づいてオフセット補正の施された前記シェーディング補正用データに基づいて前記オフセット補正の施された前記画像データにシェーディング補正を行なうものであることを特徴とする請求項２記載の放射線画像記録読取装置。
【請求項４】
前記撮影部の角度が予め設定された一つの角度であるときに取得したストラクチャ補正用データ作成用の画像データに基づいて、前記撮影部の全角度に対応する全角度対応ストラクチャ補正用データを取得するストラクチャ補正用データ取得手段を備え、
前記記憶手段が、前記全角度対応ストラクチャ補正用データを記憶するものであることを特徴とする請求項１から３いずれか１項記載の放射線画像記録読取装置。
【請求項５】
前記ストラクチャ補正用データ取得手段が、前記撮影部の角度が予め設定された一つの角度であるときに取得したストラクチャ補正用データ作成用の画像データと前記予め設定された一つの角度に対応するシェーディング補正用データ作成用データとに基づいて前記予め設定された一つの角度に対応するシェーディング補正用データを作成し、該シェーディング補正用データと前記ストラクチャ補正用データ作成用の画像データとに基づいて前記全角度対応ストラクチャ補正用データを取得するものであることを特徴とする請求項４記載の放射線画像記録読取装置。
【発明の詳細な説明】
【技術分野】
【０００１】
本発明は、放射線変換パネルに放射線画像を記録し、その記録された放射線画像を表す画像データを読み取る放射線画像記録読取装置に関するものであって、特に、放射線変換パネルが配置された撮影部の角度が変更される放射線画像記録読取装置に関するものである。
【背景技術】
【０００２】
従来より、Ｘ線等の放射線を照射するとこの放射線エネルギの一部を蓄積し、その後、可視光等の励起光を照射するとこの蓄積された放射線エネルギに応じて輝尽発光を示す蓄積性蛍光体（輝尽性蛍光体）を利用して、人体等の被写体の放射線像を蓄積性蛍光体層に一旦潜像として記録し、この蓄積性蛍光体層にレーザ光等の励起光を照射して輝尽発光光を生じせしめ、この輝尽発光光を光電的に検出して上記被写体の放射線像を表す画像データを取得する放射線像記録装置および放射線像読取装置等からなる放射線撮影システムがＣＲ（Ｃｏｍｐｕｔｅｄ Ｒａｄｉｏｇｒａｐｈｙ）としてが知られている。また、この放射線撮影システムに使用される記録媒体としては、支持基板上に蓄積性蛍光体層を積層して作成した放射線変換パネルが知られている。
【０００３】
そして、上記放射線撮影システムとして、たとえば、放射線源と、放射線変換パネルと放射線変換パネルに線状の励起光を照射線する励起光照射部と放射線変換パネルから発せられた輝尽発光光を検出するラインセンサとが一体的に配設された撮像部とを備え、放射線像の記録および読取りを一台の装置で行う放射線撮影システムが知られている。
【０００４】
そして、上記のような放射線撮影システムにおいては、輝尽発光光の検出を行いながらラインセンサを放射線変換パネルに対して副走査方向に移動させて、この放射線変換パネルから放射線画像を表す画像データを取得している。そして、上記画像データには、上記ラインセンサの各受光素子の感度のバラツキや、放射線変換パネル上の位置による輝尽発光光の発光特性の違いに起因するシェーディングが生じるため、上記画像データに対して、シェーディング補正が施される（たとえば、特許文献１参照）。そして、上記シェーディング補正は、予め放射線変換パネルに一様曝射して得られたシェーディング補正用データに基づいて行なわれる。
【０００５】
一方、上記のような放射線撮影システムとして、一端に撮影部が、他端には放射線源が配設されたアームを備え、このアームを傾けることによって被写体に対する撮影部の傾きを所望の角度に傾けることにより、種々の放射線画像を撮影することができるものが提案されている（例えば、特許文献２参照）。
【０００６】
ここで、上記放射線撮影システムのように、撮影部を傾けるようにすると、放射線変換パネル自身の自重による撓み、あるいは励起光照射部とラインセンサとからなるスキャナ自身の自重による撓みが生じ、この撓みによって放射線変換パネルからラインセンサの各受光素子までの光路が変化するので、上記撓みに応じて各受光素子における輝尽発光光の受光光量が変化する。したがって、上記撮影部を傾けて放射線変換パネルから発生する輝尽発光光の検出を行なうと、上記傾きに応じて画像データに生じるシェーディングの態様が変化する。そして、上記のようなシェーディングの態様の変化に対して、一律に予め取得されたシェーディング補正用データを用いてシェーディング補正を施すと、画像データが可視画像として表示されたときに、この可視画像中のスジムラとして現れることがある。そのため、上記のように撮影部を傾けて放射線像の記録および読取りを行なう場合には、この傾きに応じて生じるシェーディングの影響を考慮してシェーディング補正を行なう必要がある。
【０００７】
そこで、撮影部を傾ける度に放射線変換パネルに対して放射線の一様曝射を行なってその傾きに応じたシェーディング補正用データを取得してシェーディング補正を行なうことが考えられる。
【０００８】
しかしながら、シェーディング補正用データを取得する際には、被写体を放射線変換パネルと放射線源の間から待避さなければならず、撮影部を傾ける度に被写体を移動させることは作業効率が著しく低下するので、上記のように撮影部を傾ける度にシェーディング補正用データを取得するのは現実的には困難である。
【０００９】
そこで、特許文献２においては、予め設定された複数の角度の撮影部に対応するシェーディング補正用データを取得しておき、実際に撮影部を所望の角度に設定して放射線画像を取得する際には、予め取得されたシェーディング補正用データに基づいて上記所望の角度に対応するシェーディング補正用データを取得し、設定された撮影部の角度に応じたシェーディング補正を施すことが提案されている。
【特許文献１】特開２０００−１３５９９号公報
【特許文献２】特開平２００４−２２９７３５号公報
【発明の開示】
【発明が解決しようとする課題】
【００１０】
しかしながら、特許文献２には、撮影部の角度に応じたシェーディング補正用データをどのようにして演算して取得するかは示されておらず、より簡易な演算で適切なシェーディング補正用データを取得する必要がある。
【００１１】
本発明は、上記事情に鑑み、上記のような撮影部の角度を変更して放射線画像の撮影を行なう放射線画像記録読取装置において、より簡易な演算でかつ適切な補正データを取得することができる放射線画像記録読取装置を提供することを目的とするものである。
【００１２】
また、画像データに施される補正は、シェーディング補正に限らず、たとえば、放射線変換パネルに反射して励起光カットフィルタでカットし切れずラインセンサにより検出される励起光の影響を補正するオフセット補正や、放射線変換パネルの表面上の細かい凹凸に起因する固定ノイズを補正するストラクチャ補正などがあるが、これらの補正に用いられる補正データも撮影部の角度に対応したものを取得する必要がある。そして、上述したように撮影部の角度を変更する度にこれらの補正データも取得するようにしたのでは、さらに大変な手間となり作業効率の低下となる。
【００１３】
また、ストラクチャ補正に用いられるストラクチャ補正用データについては、多数枚の画像データに基づいて作成されるため、予め設定された複数の角度に対応するストラクチャ補正用データを記憶するようにしたのでは、手間がかかるだけでなく、大容量のメモリが必要となりコストアップとなる。
【００１４】
本発明は、さらに、上記のようなオフセット補正用データやストラクチャ補正用データについても効率よく取得することができるとともに、メモリの容量を膨大に使用しないようにすることができる放射線画像記録読取装置を提供することを目的とするものである。
【課題を解決するための手段】
【００１５】
本発明の放射線画像記録読取装置は、放射線源と、放射線源から発せられ被写体を通過した放射線を受ける位置に放射線変換パネルを支持する支持部および放射線変換パネルへの励起光の照射により放射線変換パネルから発生した輝尽発光光を光電変換して放射線変換パネルに記録された被写体の放射線画像を表す画像データを取得する読取部が一体的に配設された撮影部と、撮影部を所望の角度に傾ける角度変更手段とを備えた放射線画像記録読取装置において、放射線変換パネルから発生した輝尽発光光を検出する際の撮影部の角度を検出する角度検出手段と、撮影部の角度が予め設定された複数の角度であるときに取得した補正データを記憶する記憶手段と、角度検出手段により検出された角度と予め設定された複数の角度のうち角度検出手段により検出された角度を挟みその角度に最近接する２つの角度とに基づいて重み係数を算出し、その算出された重み係数と上記最近接する２つの角度に対応する記憶手段に記憶された補正データとに基づいて角度検出手段により検出された角度に対応する補正データを算出する補正データ算出手段と、補正データ算出手段により算出された補正データに基づいて画像データを補正する補正手段とを備えたことを特徴とする。
【００１６】
また、上記本発明の放射線画像記録読取装置においては、記憶手段を、上記予め設定された各角度に対応する複数種類の補正データを記憶するものとすることができる。
【００１７】
また、補正データを、シェーディング補正用データおよびオフセット補正用データとし、補正手段を、画像データにオフセット補正用データに基づいてオフセット補正を施した後、オフセット補正用データに基づいてオフセット補正の施されたシェーディング補正用データに基づいてオフセット補正の施された画像データにシェーディング補正を行なうものとすることができる。
【００１８】
また、撮影部の角度が予め設定された一つの角度であるときに取得したストラクチャ補正用データ作成用の画像データに基づいて、撮影部の全角度に対応する全角度対応ストラクチャ補正用データを取得するストラクチャ補正用データ取得手段を備えるものとし、記憶手段を、その全角度対応ストラクチャ補正用データを記憶するものとすることができる。
【００１９】
また、ストラクチャ補正用データ取得手段を、撮影部の角度が予め設定された一つの角度であるときに取得したストラクチャ補正用データ作成用の画像データと上記予め設定された一つの角度に対応するシェーディング補正用データ作成用データとに基づいて上記予め設定された一つの角度に対応するシェーディング補正用データを作成し、そのシェーディング補正用データとストラクチャ補正用データ作成用の画像データとに基づいて全角度対応ストラクチャ補正用データを取得するものとすることができる。
【発明の効果】
【００２０】
本発明の放射線画像記録読取装置によれば、撮影部の角度を検出し、その角度と予め設定された複数の角度のうち上記検出された角度を挟みその角度に最近接する２つの角度とに基づいて重み係数を算出し、その算出された重み係数と上記最近接する２つの角度に対応する補正データとに基づいて上記検出された角度に対応する補正データを算出するようにしたので、より簡易な演算で適切なシェーディング補正用データを取得することができる。
【００２１】
また、上記本発明の放射線画像記録読取装置において、記憶手段に上記予め設定された各角度に対応する複数種類の補正データを記憶するようにした場合には、複数種類の補正を放射線画像の撮影後に素早く行なって、素早い画像表示が可能となる。
【００２２】
また、画像データにオフセット補正用データに基づいてオフセット補正を施した後、オフセット補正用データに基づいてオフセット補正の施されたシェーディング補正用データに基づいてオフセット補正の施された画像データにシェーディング補正を行なうようにした場合には、より適切にムラ、アーチファクトの発生を抑制することができる。
【００２３】
また、撮影部の角度が予め設定された一つの角度であるときに取得したストラクチャ補正用データ作成用の画像データに基づいて、撮影部の全角度に対応する全角度対応ストラクチャ補正用データを取得し、その全角度対応ストラクチャ補正用データを記憶手段に記憶するようにした場合には、ストラクチャ補正用データ作成用の画像データを取得する手間を軽くすることができ、ストラクチャ補正に用いられる補正データを記憶する記憶手段の容量を少なくすることができる。
【発明を実施するための最良の形態】
【００２４】
以下、図面を参照して本発明の放射線画像記録読取装置の一実施形態を用いた放射線撮影システムについて、詳細に説明する。図１は本放射線撮影システムの概略構成を示す斜視図、図２は本放射線撮影システムの概略構成を示す側面図、図３は本放射線撮影システムの概略構成を示す上面図である。
【００２５】
本発明の実施形態を用いた放射線撮影システム１００は、図１および図２に示すように、放射線源を備えた放射線源ユニット１と、放射線源ユニット１の放射線源から発せられ被写体５を通過した放射線を受ける位置に放射線変換パネルを支持する支持部および放射線変換パネルへの励起光の照射により放射線変換パネルから発生した輝尽発光光を光電変換して放射線変換パネルに記録された被写体の放射線画像を表す画像データを取得する読取部が一体的に配設された撮影部２と、放射線源ユニット１と撮影部２とが対向する位置に設置されるように支持するアーム支持部３と、アーム支持部３を上下方向に移動可能に支持する支柱４とを備えている。
【００２６】
支柱４は、上述したようにアーム支持部３を移動可能に支持するものであり、アーム支持部３は、図２に示すように、上下方向（矢印Ａ方向）に所定の距離だけ移動可能な構成で支柱４に取り付けられている。また、支柱４には、アーム支持部３を回転させるアーム回転駆動部６（図３参照）が設けられており、アーム支持部３は、アーム回転駆動部６によって、図２に示すように、回転中心軸Ｃを中心として矢印Ｂ方向に回転させられるものである。
【００２７】
アーム支持部３は、上述したように放射線源ユニット１と撮影部２とが対向する位置に設置されるように支持するものである。そして、放射線源ユニット１は、図２に示すように、撮影部２との距離が所望の距離になるように、矢印Ｄ方向に移動可能な構成でアーム支持部３に取り付けられている。放射線源ユニット１を図２の矢印Ｄ方向に移動させる機構は、アーム支持部３に設けられている。また、撮影部２は、アーム支持部３に回転軸３ａ（図１参照）を介して取り付けられている。そして、撮影部２は、回転軸３ａを中心として、図２に示すように、矢印Ｅ方向に回転可能にアーム支持部３に取り付けられている。撮影部２を回転させる機構は、撮影部２内に設けられている。
【００２８】
放射線源ユニット１は、上述したように放射線源を備えており、図２に示すように、放射線源から撮影部２に向けて放射線が射出される。
【００２９】
撮影部２は、上述したように支持部１５と読取部４０とが一体的に配設されている。撮影部２内の読取部４０は、図６および図７に示すように、線状の励起光を照射する励起光照射部２０と、励起光照射部２０からの励起光の照射を受けて放射線変換パネル１０から発生した輝尽発光光を検出する検出部３０とからなる。
【００３０】
励起光照射部２０は、励起光Ｌｅを射出する複数の半導体レーザが主走査方向（図６および図７中のＸ方向、以後、主走査Ｘ方向という）に並べられた励起光光源２１、および励起光光源２１から射出された励起光Ｌｅを放射線変換パネル１０上の線状領域Ｓに集光させる主走査Ｘ方向に延びるシリンドリカルレンズからなる集光光学系２２を備えている。
【００３１】
検出部３０は、主走査Ｘ方向に並べられた多数のレンズ、例えば屈折率分布型レンズ等からなる結像レンズ３１、輝尽発光光を透過させ励起光を遮断する励起光カットフィルタ３３、およびラインセンサ３２を備え、上記各要素が、放射線変換パネル１０に向けてこの順に並べられている。なお、ラインセンサ３２は結像レンズ３１を通して入射した輝尽発光光を光電変換する多数の受光部３２Ａを有するＣＣＤ素子と、これらの受光部で光電変換された信号を増幅しＡ／Ｄ変換してデジタル値からなる画像データとして出力する読出部３２Ｂとを有している。
【００３２】
励起光照射部２０と検出部３０とは一体化されており、この一体化された励起光照射部２０と検出部３０とは搬送部（図示省略）によって上記主走査Ｘ方向と交わる副走査方向（図６および図７中のＹ方向、以後、副走査Ｙ方向という）に搬送される。上記搬送部は支持部１５上に固定されている。
【００３３】
また、撮影部２には、図１に示すように、撮影部２の傾きを検出する傾き検出器５０が設けられている。傾き検出器５０は、水平方向に対して撮影部２が傾く角度を検出するものである。
【００３４】
また、図１に示す撮影部２の、８−８線断面図を図８に示す。なお、図８の紙面右側が放射線源ユニット１側であり、図８の右側から撮影部２に向けて放射線が照射される。図８に示すように、撮影部２は、放射線変換パネル１０と、励起光照射部２０と検出部３０とが一体的に設けられた読取部４０と、グリッド１１とを収容する筐体２ａを備えている。そして、筐体２ａには、グリッド１１を出し入れ可能なように開閉可能なグリッドカバー２ｂが設けられている。また、撮影部２の筐体２ａ内に設置された放射線変換パネル１０は、放射線画像の撮影時には、図８（Ａ）に示すように、放射線照射側に位置し、放射線画像の撮影が終わった後、放射線変換パネル１０から読取部４０によって画像データを読み取る際には、放射線変換パネル１０は、図８（Ｂ）に示すように、左側に、すなわち放射線照射側とは反対側に移動させられる。そして、その後、放射線変換パネル１０の放射線が照射された面を読取部４０によって副走査Ｙ方向に走査することによって画像データが読み取られる。撮影部２内には、上記のように放射線変換パネル１０を移動させるパネル移動機構（図示省略）が設けられている。
【００３５】
また、本放射線撮影システム１００は、図９に示すような、制御ユニット６０を備えている。制御ユニット６０は、上述した放射線源ユニット１、撮影部２およびアーム支持部３の動作などシステム全体の動作を制御するものであるとともに、撮影部２において読み取られた画像データに基づいて補正データを生成したり、その補正データに基づいて画像データに補正を施したりするものである。具体的には、図９に示すように、撮影部２において読み取られた画像データを記憶する記憶部６１と、記憶部６１に記憶された画像データに基づいて補正データを算出する補正データ算出部６２と、補正データ算出部６２によって算出された補正データに基づいて画像データに補正を施す補正部６３と、放射線撮影システム全体の動作を制御する制御部６４とを備えている。記憶部６１に記憶される補正データや補正データ算出部６２および補正部６３の動作については後で詳述する。なお、本実施形態の放射線撮影システム１００においては、制御部６４がシステム全体の動作を制御するようにしたが、撮影部２内部の動作を制御する撮影部制御部とアーム支持部３の動作や撮影部２の回転動作を制御するアーム制御部とを別個に設けるようにしてもよい。
【００３６】
次に、上記実施形態の放射線撮影システムの作用について説明する。
【００３７】
最初に、本放射線撮影システムによって放射線画像を撮影し、その撮影された放射線画像の画像データを取得する作用について説明する。
【００３８】
まず、図２に示すように、被写体５が配置され、制御ユニット６０の制御部６４からの制御信号に応じてアーム支持部３が矢印Ａ方向に移動し、所望の高さに設定される。また、回転駆動部６によりアーム支持部３が矢印Ｂ方向に回転し、被写体５に対して放射線源ユニット１から射出された放射線が所望の角度から入射されるように、その角度が設定される。
【００３９】
また、放射線源ユニット１が、矢印Ｄ方向に移動し、放射線源ユニット１と撮影部２および被写体５との距離が所望の距離になるように設定される。
【００４０】
また、撮影部２が矢印Ｅ方向に回転し、被写体５および撮影部２に対して放射線源ユニット１から射出された放射線が所望の角度から入射されるように、その角度が設定される。
【００４１】
なお、このとき、たとえば、図４に示すように、被写体を臥位姿勢にして放射線の撮影を行なう場合には、撮影部２に過度な加重負荷をかけないように、補助ベッド７を用いるようにしてもよい。また、被写体５に対して、斜め方向から放射線を撮影する方法を行なう場合には、図５に示すように、アーム支持部３が水平方向になるように設定し、撮影部２をアーム支持部３に対して回転させて傾けるようにしてもよい。なお、図５は、撮影部２の水平方向に対する角度が４５度のときの態様を示している。
【００４２】
そして、上記のようにして被写体５に対して所望の位置に放射線源ユニット１と撮影部２が設定された後、図８（Ａ）に示すように、撮影部２内の放射線変換パネル１０がパネル移動機構により放射線照射側に移動する。そして、放射線源ユニット１の放射線源１から発せられ、被写体５を通った放射線が撮影部２内の放射線変換パネル１０に照射され、放射線変換パネル１０に被写体５の放射線画像が記録される。
【００４３】
その後、搬送部によって励起光照射部２０と検出ユニット３０とからなる読取部４０が搬送され、励起光照射部２０から射出された励起光Ｌｅは放射線変換パネル１０上の線状領域Ｓに集光される。励起光Ｌｅの照射によって線状領域Ｓから発生した輝尽発光光は結像レンズ３１および励起光カットフィルタ３３を通してラインセンサ３２の受光部３２Ａ上に結像され、この結像された輝尽発光光が受光部で光電変換される。
【００４４】
上記励起光照射部２０による励起光Ｌｅの照射と検出ユニット３０による輝尽発光光の検出を行いながら、励起光照射部２０と検出ユニット３０とが搬送部４５によって副走査Ｙ方向へ搬送されて、放射線変換パネル１０から発生した輝尽発光光がラインセンサ３２の受光部３２Ａで光電変換され読出部３２Ｂでデジタル値からなる画像データに変換されて出力される。
【００４５】
そして、上記のようにして取得された画像データは、撮影部２から制御ユニット６０に出力され、制御ユニット６０の記憶部６１に記憶される。
【００４６】
次に、上記のようにして取得された画像データに対してオフセット補正およびシェーディング補正を行なう作用について説明するが、まずは、オフセット補正およびシェーディング補正を行なう際に用いられるオフセット補正用データおよびシェーディング補正用データを取得する方法について説明する。
【００４７】
オフセット補正用データは、放射線が照射されていない放射線変換パネル１０を上記と同様にして読取部４０によって読み取ることによって取得される。
【００４８】
そして、オフセット補正用データは、撮影部２の水平方向に対する傾きが、０度、６０度、９０度および１１０度の４つの角度の場合について、放射線変換パネル１０の読取りを行なうことによって、第１〜第４のオフセット補正データが取得される。なお、撮影部２の水平方向に対する傾きが０度とは、撮影部２が、図４に示すような配置であるときをいう。また、撮影部２の水平方向に対する傾きが９０度とは、撮影部２が、図２に示すような配置であるときをいう。撮影部２の水平方向に対する傾きが６０度、１１０度とは、撮影部２が、それぞれ図１０（Ａ）、図１０（Ｂ）に示すような配置であるときをいう。なお、本実施の形態において、上記のようにオフセット補正用データを取得する際の撮影部２の角度を設定するようにしたのは、０度と９０度については、放射線撮影における使用頻度が高いため、６０度については、コサインで０度と９０度との中間となるため、１１０度については、本実施の形態においては、撮影部２の角度を０度〜１１０度まで変えることが可能な構成としたからである。ただし、この４つの角度に限らず、補正精度とオフセット補正用データ取得の手間との兼ね合いでオフセット補正用データを取得する角度を増しても減らしてもよい。また、撮影部２の角度については、撮影部２内に設けられた傾き検出器５０によって検出された角度に基づいて、制御ユニット６０によってアーム支持部３および／または撮影部２が駆動されて調整される。なお、以下、撮影部２の角度といった場合には、撮影部２の水平方向に対する角度のことを意味するものとする。
【００４９】
そして、上記のような４つの撮影部２の角度について取得された第１〜第４のオフセット補正用データは、制御ユニット６０の記憶部６１に出力され、記憶部６１に予め記憶される。
【００５０】
シェーディング補正用データは、被写体を設置しない状態で放射線変換パネル１０を一様露光して、いわゆるベタ画像を放射線変換パネル１０に記録した後、上記と同様にして読取部４０によって読み取ることによって取得される。
【００５１】
そして、シェーディング補正用データについても、オフセット補正用データと同様に、撮影部２の水平方向に対する傾きが、０度、６０度、９０度および１１０度の４つの角度の場合について取得される。そして、取得された第１〜第４のシェーディング補正用データは、撮影部２から制御ユニット６０に出力され、それぞれ第１〜第４のオフセット補正用データでオフセット補正された後、制御ユニット６０の記憶部６１に記憶される。
【００５２】
次に、上記のようにして取得したオフセット補正用データとシェーディング補正用データを用いて画像データにオフセット補正およびシェーディング補正を行なう方法について説明する。
【００５３】
まず、撮影部２の角度が変更された時（たとえば上述したように被写体５が設置された状態）において、傾き検出器５０によって検出された撮影部２の角度が出力され、制御ユニット６０に入力される。
【００５４】
そして、傾き検出器５０によって検出された角度に基づいて撮影部２の水平方向に対する角度が算出され、その角度は補正データ算出部６２に出力される。
【００５５】
なお、本実施形態の放射線撮影システム１００においては、上記のように傾き検出器５０によって撮影部２の角度を検出するようにしたが、必ずしも傾き検出器５を設ける必要はなく、制御部６４からアーム支持部３の角度および撮影部２の回転角度を取得し、撮影部２の水平方向に対する角度を取得するようにしてもよい。
【００５６】
また、制御部６４は、オフセット補正用データおよびシェーディング補正用データを取得する際に予め設定された複数の角度のうち、すなわち、本実施形態においては、０度、６０度、９０度および１１０度の角度のうち、撮影部２の水平方向に対する角度を挟みその角度に最近接する２つの角度を求め、その２つの角度を補正データ算出部６２に出力するとともに、その２つの角度に対応するオフセット補正用データおよびシェーディング補正用データを記憶部６１から読み出して補正データ算出部６２に出力する。たとえば、撮影部２の水平方向に対する角度が３０度である場合には、３０度を挟み３０度に最近接する角度である０度と６０度が求められ、０度と６０度と、０度および６０度に対応するオフセット補正用データおよびシェーディング補正用データが補正データ算出部６２に出力される。
【００５７】
そして、補正データ算出部６２は、上記のようにして入力された撮影部２の水平方向に対する角度、撮影部２の水平方向に対する角度を挟みその角度に最近接する２つの角度、その２つの角度に対応するオフセット補正用データおよびシェーディング補正用データに基づいて、下式（１）を用いて、撮影部２の水平方向に対する角度に対応するオフセット補正用データおよびシェーディング補正用データを算出する。
【数１】
2009082275.tif 000003
【００５８】
ただし、（１）式において、θは撮影部２の水平方向に対する角度、θａおよびθｂはθを挟みθに最近接する２つの角度、Ｓ（θ）は撮影部２の水平方向に対する角度θに対応するオフセット補正用データまたはシェーディング補正用データ、Ｓ（θａ）はθａに対応するオフセット補正用データまたはシェーディング補正用データ、Ｓ（θｂ）はθｂに対応するオフセット補正用データまたはシェーディング補正用データである。なお、上記（１）式を用いた演算は、オフセット補正用データおよびシェーディング補正用データの各画素毎に行われる。
【００５９】
そして、補正データ算出部６２は、上記のようにして算出した撮影部２の水平方向に対する角度θに対応するオフセット補正用データおよびシェーディング補正用データを補正部６３に出力する。
【００６０】
次に、上述したように被写体５が設置された状態において放射線画像の撮影が行なわれ、その被写体５の放射線画像を表す画像データが制御ユニット６０に出力され、制御ユニット６０の記憶部６１に記憶される。そして、撮影部６０からは、画像データとともに、放射線変換パネル１０を読取部４０で読み取ったときに傾き検出器５０によってけんしゅつされた撮影部２の角度が出力され、制御ユニット６０に入力される。
【００６１】
そして、制御部６４は、上記のようにして記憶された画像データを記憶部６１から読出し、その画像データを補正部６３に出力する。
【００６２】
補正部６３は、入力された画像データに対して、入力されたオフセット補正用データを用いてオフセット補正を施す。そして、上記のようにオフセット補正を施した後、オフセット補正の施された画像データに対して、シェーディング補正用データを用いてシェーディング補正を施す。そして、上記のようにしてオフセット補正およびシェーディング補正の施された補正済画像データは、補正部６３から出力され、たとえば、所定の画像処理が施された後、モニタなどの表示装置に可視画像として表示されたり、もしくは、所定の記録媒体に可視画像として記録されたりする。
【００６３】
なお、上記実施形態においては、上式（１）により三角関数の１次式によって補間してオフセット補正用データおよびシェーディング補正用データを算出するようにしたが、これに限らず、自重変形の高次のモードを補正するように、三角関数の多項式の１次補間にしてもよい。
【００６４】
また、実際の放射線画像の撮影においては、被写体なしで撮影部２の角度を粗調整し、被写体を設置した後、撮影部２の角度を微調整することがある。この場合、撮影部２の角度を微調整する度に、上記のように補正データ算出部６２でオフセット補正用データおよびシェーディング補正用データを算出するようにしたのでは、データを準備するのに時間がかかる。したがって、補正用データを生成した時の撮影部２の角度を記憶しておき、撮影部２の角度変更が前回の補正用データ生成時に比べて±２度以内であれば、補正用データは生成しないようにしてもよい。なお、±２度以内の変化であれば、補正用データの角度依存性によるスジムラは視認されないレベルであることがわかっている。また、撮影部２の角度変更が前回の補正用データ生成時に比べて±５度以内であれば、補正用データの角度依存性によるスジムラは許容範囲であるので、微調整時の利便性と補正精度との関係で、補正データを生成しない角度調整範囲を±５度としてもよい。
【００６５】
次に、本放射線撮影システム１００の撮影部２の筐体構成について詳細に説明する。
【００６６】
撮影部２内の放射線変換パネル１０、放射線変換パネル１０を支持する支持部１５、放射線変換パネルを搬送する搬送部、読取部４０および読取部４０を搬送する搬送部は１つの金属製フレーム内に一体的に配設されて読取ユニットを構成している。そして、従来の立位用放射線画像撮影システムにおいては、読取時の床振動によるムラを防止するため、図１１に示すように、読取ユニット１６は、撮影部２の筐体２ａに対して剛体固定はせずに、背面側防振ゴム１７と底面側防振ゴム１８を介して固定されていた。
【００６７】
しかしながら、本放射線撮影システム１００においては、放射線画像の撮影の際、上述したように撮影の種類に応じて撮影部２の角度が種々の角度に設定される。したがって、撮影部２の角度が、従来の立位用放射線画像撮影システムにおける９０度以外の角度に設定されると、読取ユニット１６の自重によって防振ゴムが伸縮し、防振ゴムが引張り破断を起こしたり、筐体２ａに対する読取ユニット１６の位置が変化したりしてしまう。筐体２ａに対する読取ユニット１６の位置が変化すると、予め設定された放射線の照射位置に対して読取ユニット１６内の放射線変換パネル１０の位置がずれて放射線画像の端が切れてしまったりして適切な放射線画像の撮影をすることができない。
【００６８】
そこで、本放射線撮影システム１００においては、図１２に示すように、従来の背面側防振ゴム１７および底面側防振ゴム１８に加えて、背面側防振ゴム１７に対向する位置に第１の固定ゴム７０を設けるとともに、底面側防振ゴム１８に対向する位置に第２の固定ゴム７２を設けている。
【００６９】
ここで、背面側防振ゴム１７と底面側防振ゴム１８とは、床振動を十分に吸収する必要があるので、比較的軟らかいゴムで形成されている。これに対し、第１の固定ゴム７０と第２の固定ゴム７２は、読取ユニット１６の位置変化を抑制するため、比較的硬いゴムで形成されている。なお、当然ながら、第１の固定ゴム７０と第２の固定ゴム７２とは、背面側防振ゴム１７と底面側防振ゴム１８よりも硬いゴムで形成されている。
【００７０】
そして、第１の固定ゴム７０は、支持部材７１を介して筐体２ａに取り付けられているが、撮影部２（読取ユニット１６）の水平方向に対する角度が９０度である場合に（図１２参照）、第１の固定ゴム７０と読取ユニット１６との間に隙間があかないような位置であるとともに、撮影部２（読取ユニット１６）の水平方向に対する角度が０度である場合に（図１３参照）、第１の固定ゴム７０と読取ユニット１６との間に距離ｄ１だけ隙間があくような位置に設置されている。
【００７１】
なお、第１の固定ゴム７０と読取ユニット１６との間の距離ｄ１は、背面側防振ゴム１７が弾性変形することによって形成されるが、距離ｄ１は、背面側防振ゴム１７が弾性変形していない状態から弾性変形した状態（図１３に示す状態）になったときのその弾性変形の大きさ以下にする。したがって、撮影部２（読取ユニット１６）の水平方向に対する角度が９０度である場合には（図１２参照）、背面側防振ゴム１７は伸長するが、若干弾性変形した状態で、読取ユニット１６と第１固定ゴム７０とが接触することになる。
【００７２】
撮影部２（読取ユニット１６）の水平方向に対する角度が０度である場合には（図１３参照）、床振動が筐体２ａから支持部材７１を介して第１の固定ゴム７０に伝わることになるので、その第１の固定ゴム７０の振動が読取ユニット１６に伝わらないように、上記のように第１の固定ゴム７０と読取ユニット１６との間に隙間をあけるように構成している。
【００７３】
なお、撮影部２（読取ユニット１６）の水平方向に対する角度が９０度である場合や（図１２参照）１１０度である場合は（図１４参照）、床振動が筐体２ａから支持部材７１を介して第１の固定ゴム７０に伝わったとしても、その振動方向は、第１の固定ゴム７０が読取ユニット１６を押す方向に対して略直角なので読取ユニット１６に与える影響は小さい。したがって、第１の固定ゴム７０と読取ユニット１６とが接触していても問題はない。
【００７４】
また、第２の固定ゴム７２も、支持部材７１を介して筐体２ａに取り付けられているが、撮影部２（読取ユニット１６）の水平方向に対する角度が９０度である場合に（図１２参照）、第２の固定ゴム７２と読取ユニット１６との間に距離ｄ２だけ隙間があくような位置であるとともに、撮影部２（読取ユニット１６）の水平方向に対する角度が０度である場合に（図１３参照）、第２の固定ゴム７２と読取ユニット１６との間に隙間があかないような位置に設置されている。
【００７５】
なお、第２の固定ゴム７２と読取ユニット１６との間の距離ｄ２は、底面側防振ゴム１８が弾性変形することによって形成されるが、距離ｄ２は、背面側防振ゴム１８が弾性変形していない状態から弾性変形した状態（図１２に示す状態）になったときのその弾性変形の大きさ以下にする。したがって、撮影部２（読取ユニット１６）の水平方向に対する角度が０度である場合には（図１３参照）、底面側防振ゴム１８は伸長するが、若干弾性変形した状態で、読取ユニット１６と第２固定ゴム７２とが接触することになる。
【００７６】
撮影部２（読取ユニット１６）の水平方向に対する角度が９０度である場合（図１２参照）や１１０度である場合（図１４参照）は、床振動が筐体２ａから支持部材７１を介して第２の固定ゴム７２に伝わることになるので、その第２の固定ゴム７２の振動が読取ユニット１６に伝わらないように、上記のように第２の固定ゴム７２と読取ユニット１６との間に隙間をあけるように構成している。
【００７７】
なお、撮影部２（読取ユニット１６）の水平方向に対する角度が０度である場合（図１３参照）は、床振動が筐体２ａから支持部材７１を介して第２の固定ゴム７２に伝わったとしても、その振動方向は、第２の固定ゴム７２が読取ユニット１６を押す方向に対して略直角なので読取ユニット１６に与える影響は小さい。したがって、第２の固定ゴム７２と読取ユニット１６とが接触していても問題はない。
【００７８】
次に、本放射線撮影システム１００の撮影部２の筐体２ａに設けられたグリッドカバー２ｂ（図８参照）について詳細に説明する。
【００７９】
放射線画像の撮影においては、被写体通過後の放射線の散乱を防止するために、格子状に放射線吸収物体を並べた板上のグリッドが使用される。グリッドは、撮影部位によって必要だったり不必要だったりし、また、撮影部位や放射線源との距離によって最適なグリッドが異なるため、撮影部には、グリッド交換・着脱機構が必要である。そこで、従来より、放射線撮影システムの撮影部の筐体には、開閉可能なグリッドカバーが設けられている。そして、グリッドカバーは、閉じているときは、撮影部に設けられたロック機構によりロックされ、ソフトウェアからのロック解除信号が来るまでは開けられないように構成されている。そして、グリッドカバーが空いているときは、ロック機構によるロックは解除されている。
【００８０】
ここで、上記のようなグリッドカバーのロック機能を実現するため、従来の放射線撮影システムにおいては、図１５（Ａ）に示すように、グリッドカバー２ｂに突起２ｃを設けるとともに、読取ユニット１６に、一端が回動可能に取り付けられた板バネ８０と、板バネ８０をグリッドカバー２ｂ側に付勢するバネ８１と、板バネ８０が接触したことを検出するセンサ８２を設けている。
【００８１】
そして、グリッドカバー２ｂが閉まっている間は、グリッドカバー２ｂの突起２ｃが板バネ８０の突起８０ａを押下し、これにより板バネ８０がセンサ８２に接触する。そして、センサ８２により板バネ８０が接触していることが検出されている間は、ロック機構によりグリッドカバー２ｂはロックされる。
【００８２】
そして、ソフトウェアからのロック解除信号によりロックが解除されると、グリッドカバー２ｂは開けることが可能になる。そして、グリッドカバー２ｂが空いている間は、図１５（Ｂ）に示すように、グリッドカバー２ｂの突起２ｃが板バネ８０の突起８０ａから離れ、板バネ８０がバネ８１によりグリッドカバー２ｂ側に付勢され、板バネ８０がセンサ８２に接触していない状態となるので、ロック機構によるロックは解除されている。
【００８３】
ここで、本放射線撮影システムにおいて上記のような構成でロック機能を実現した場合、たとえば、図１６に示すように、撮影部２の水平方向に対する角度が０度に設定された場合、上記図１３で説明したように、底面側防振ゴム１８が伸長するため読取ユニット１６が、グリッドカバー２ｂ側に移動することになる。
【００８４】
そして、上記のように読取ユニット１６の位置が変化するとグリッドカバー２ｂの突起２ｃにより板バネ８０の突起８０ａが想定以上に押下されることになり、板バネ８０やセンサ８２などが破損したり、センサ８２が読取ユニット１６に押し込まれ、その後グリッドカバー２ｂが閉じていても板バネ８０とセンサ８２とが接触しなくなり、グリッドカバー２ｂの開閉状態を誤検出したりするおそれがある。この誤検出は、本放射線撮影システムのように撮影部の角度が変化するものに限らず、たとえば、従来の立位撮影用の放射線撮影システムにおいても、グリッド交換時やメンテナンス時に強い接触を受けた場合に発生しやすい。
【００８５】
上記のような問題を解決するため、本放射線撮影システム１００においては、図１７（Ａ）に示すような構成としている。
【００８６】
具体的には、図１７（Ａ）に示すように、読取ユニット１６に、第１のねじりバネ９１と、ねじりバネ９１の一端に接続されグリッドカバー２ｂの突起２ｃによって押下されて上下に移動する第１のアクチュエータ９０と、センサ９４を押すための第２のアクチュエータ９３と、第１のアクチュエータ９０に取り付けられ、一端が第２のアクチュエータ９３に接続された第２のねじりバネ９２とを設けている。第１のねじりバネ９１は第１のアクチュエータ９０をグリッドカバー２ｂ側に付勢するものであり、第２のねじりバネ９２は第２のアクチュエータ９３をグリッドカバー２ｂ側に付勢するものである。
【００８７】
そして、グリッドカバー２ｂが閉まっているときには、グリッドカバー２ｂの突起２ｃにより第１のアクチュエータ９２が押下され、それにより第２のねじりバネ９２を介して第２のアクチュエータ９３が押下されて第２のアクチュエータ９３とセンサ９４とが接触する。
【００８８】
そして、グリッドカバー２ｂが開いているときには、第１のねじりバネ９１により第１のアクチュエータ９０がグリッドカバー２ｂ側に付勢され、第２のねじりバネ９２を介して第１のアクチュエータ９３が移動してセンサ９４に接触していない状態となる。
【００８９】
そして、たとえば、撮影部２の角度が０度に設定され、上述したように読取ユニット１６がグリッドカバー２ｂ側に移動した場合には、図１７（Ｂ）に示すように、グリッドカバー２ｂの突起２ｃにより想定以上に第１のアクチュエータ９０が押し下げられるが、第１のアクチュエータ９０と第２のアクチュエータとが第２のねじりバネ９２によって接続されているので、第１のアクチュエータ９０を押し下げる力の一部が第２のねじりバネ９２によって逃がされる。したがって、第１のアクチュエータ９０を押し下げる力の一部だけが第２のアクチュエータ９３に伝わるので、第２のアクチュエータ９３が必要以上にセンサ９４を押下することなく、上記のような問題が発生するのを回避することができる。
【００９０】
つまり、本放射線撮影システム１００においては、グリッドカバー２ｂの突起２ｃに押下されてセンサ９４に接触するアクチュエータを２分割することによって、上記のような問題を回避することができる。
【００９１】
なお、図８で説明したように、撮影部２の読取ユニット１６内においては放射線変換パネル１０が撮影時と読取り時とで移動するが、本放射線撮影ユニット１００においては、その移動時に放射線変換パネル１０の端部が上述した第１のアクチュエータ９０や第２のアクチュエータ９３などに接触しないように構成されている。図１７（Ｂ）に、放射線変換パネル１０は、その端部が図１７（Ｂ）に矢印Ｘで示されるような移動軌跡を描くように移動させられる。
【００９２】
次に、本放射線撮影システム１００においては、安全上または放射線画像の画質の劣化防止の観点から、一部の機構の動作を制限するようにしている。その内容について以下に説明する。
【００９３】
まず、本放射線撮影システム１００の撮影部２は、グリッド１１が着脱可能に構成されている（図８参照）。
【００９４】
ここで、医師や放射線技師などがグリッド１１の交換をする際、何らかの間違いでアーム支持部３が動作すると非常に危険である。したがって、グリッド１１を交換している間は、アーム支持部３が動作しないようにする必要がある。
【００９５】
そこで、本放射線撮影システム１００においては、撮影部２に設けられたグリッドカバー２ｂが開いている間は、アーム支持部３が動作しないように構成している。具体的には、図１７で説明したように、グリッドカバー２ｂが開いている間は、そのことがセンサ９４によって検出される。そして、このセンサ９４によってグリッドカバー２ｂの開状態が検出されている間は、制御部６４は、アーム支持部３を動かすよう指示するアーム動作指示信号が入力されたとしても、これを無視してアーム支持部３を動作させないようにしている。
【００９６】
また、医師や放射線技師などがグリッド１１の交換をする際、撮影部２の水平方向に対する角度によっては、グリッド１１を装填しにくい角度があり、グリッド１１を落としてしまうおそれがある。そして、グリッド１１の交換は、撮影部２の水平方向に対する角度が９０度に近い場合が容易である。
【００９７】
そこで、本放射線撮影システム１００においては、撮影部２の水平方向に対する角度が９０度±５度以外である場合には、グリッドカバー２ｂを開けることができないようにしている。
【００９８】
具体的には、撮影部２に設けられた傾き検出器５０（図１参照）により検出された信号に基づいて撮影部２の水平方向に対する角度を取得し、その角度が９０度±５度以外である場合には、制御部６４は、グリッドカバー２ｂのロック機構のロックを解除する信号を無視してロック機構のロックを解除しないようにしている。
【００９９】
次に、本放射線撮影システム１００においては、撮影部２内に設けられた読取部４０を搬送して放射線変換パネル１０を走査することによって画像データの読取りが行われる。
【０１００】
ここで、上記のように読取部４０によって読取りを行なっているときにアーム支持部３が動作すると撮影部２内の読取部４０が振動して振動ムラが発生してしまう。
【０１０１】
そこで、本放射線撮影システム１００においては、読取部４０によって読取りが行なわれている間は、アーム支持部３を動作させないようにしている。
【０１０２】
具体的には、制御部６４において読取部４０によって読取りが行なわれていることを検出し、読取部４０によって読取りが行なわれている間は、制御部６４は、アーム支持部３を動作させるよう指示するアーム動作指示信号が入力されたとしても、これを無視してアーム支持部３を動作させないようにしている。
【０１０３】
次に、本放射線撮影システム１００においては、図８で説明したように、放射線画像を撮影する際には、放射線変換パネル１０は放射線照射側に位置し、撮影後、放射線変換パネル１０を放射線照射側とは反対側に移動させた後、放射線変換パネル１０の読取りが行なわれる。
【０１０４】
ここで、上記のようにして放射線変換パネル１０が移動した直後は、残留振動があり、すぐに読取りを行なうと放射線画像にムラを発生してしまう。
【０１０５】
そこで、本放射線撮影システム１００においては、放射線変換パネル１０を移動した直後は読取りを行なわないようにしている。
【０１０６】
具体的には、制御部６４が、放射線変換パネル１０が移動して読取可能状態となったことを検出するとともに、その読取可能状態を検出してからの経過時間を測定し、その測定時間が１秒を超えた後に、読取部４０を搬送して読取りを行なうようにしている。
【０１０７】
次に、本放射線撮影システム１００においては、上述したように、撮影部２が所望の位置となるようにアーム支持部３が設定された後、放射線画像の撮影が行なわれ、読取りが行なわれる。そして、上記読取りが行なわれ画像データが取得されるとともに、その取得した画像データに対して上述したようなオフセット補正やシェーディング補正が施されるが、このとき１ラインの画像データが読み取られる毎にその画像データに対してオフセット補正やシェーディング補正が施される。
【０１０８】
したがって、上記読取りを行なうときには、既にオフセット補正やシェーディング補正を行なうためのオフセット補正用データやシェーディング補正用データが準備されている必要がある。一方、本放射線撮影システム１００においては、上述したように予め設定された撮影部２の角度に対応するオフセット補正用データやシェーディング補正用データは、予め記憶部６１に記憶されているが、撮影部２を動かして撮影部２の角度を決定したときの撮影部２の角度が上記予め設定した角度と異なる場合には、上述したようにその撮影時の角度に対応するオフセット補正用データおよびシェーディング補正用データが算出される。したがって、撮影部２の角度が決定してからオフセット補正用データおよびシェーディング補正用データを算出するためにある程度の時間が必要であり、オフセット補正用データおよびシェーディング補正用データが作成される前に読取りが行なわれると、読み取られた画像データにオフセット補正およびシェーディング補正を施すことができない。
【０１０９】
そこで、本放射線撮影システム１００においては、制御部６４が、アーム支持部３の動作状態を検出し、アーム支持部３の動作が終了してからの経過時間を計測し、その計測時間が２秒を超えるまでは読取部４０による読取りを行なわないようにしている。つまり、オフセット補正用データおよびシェーディング補正用データを作成するのに１秒以上かかるので、撮影部２の角度が決定してから２秒が経過した後に読取りを開始するようにしている。
【０１１０】
次に、本放射線撮影システム１００におけるストラクチャ補正およびストラクチャ補正に用いられるストラクチャ補正用データの作成方法について説明する。なお、ここでいうストラクチャ補正とは、放射線変換パネル１０の表面上の直径０．１〜５ｍｍ程度の凹凸に起因する固定ノイズの補正のことである。
【０１１１】
まず、従来の放射線撮影システムにおけるストラクチャ補正用データの作成方法およびストラクチャ補正方法について説明する。
【０１１２】
従来のストラクチャ補正用データの作成方法は、まず、図１８に示すように、３ｍＲの線量の放射線を放射線変換パネルに一様に照射して撮影した放射線画像の画像データと、放射線を放射線変換パネルに照射することなく読み取った画像データ（０ｍＲの画像データという）と、１０ｍＲの線量の放射線を放射線変換パネルに一様に照射して撮影した放射線画像の画像データとを取得する（Ｓ１）。なお、０ｍＲの画像データと３ｍＲの画像データは各１枚ずつ、１０ｍＲの画像データは１０枚取得する。また、０ｍＲの画像データはオフセット補正用データとして取得され、３ｍＲの画像データはシェーディング補正用データを作成するための画像データとして取得され、１０ｍＲの画像データはストラクチャ補正用データを作成するための画像データとして取得される。また、０ｍＲと３ｍＲの画像データについては、後述するように撮影部の角度に応じたオフセット補正およびシェーディング補正を行なうため、たとえば、予め設定された４つの撮影部の角度（０度、６０度、９０度および１１０度）について取得される。１０ｍＲの画像データについては、上記４つの角度のうちのいずれか１つの角度で取得され、ここでは９０度の角度について取得するものとする。
【０１１３】
そして、オフセット補正用データとして取得された０ｍＲの画像データを用いて、３ｍＲの画像データに対してオフセット補正を施し、そのオフセット補正の施された画像データをシェーディング用補正データとして取得する（Ｓ２）。なお、このときシェーディング補正データは、４つの角度に対応する０ｍＲの画像データと３ｍＲの画像データを用いて、４つの角度について取得される。
【０１１４】
次に、オフセット補正用データとして取得された０ｍＲの画像データを用いて、１０枚の１０ｍＲの各画像データに対してオフセット補正を施した後（Ｓ３）、Ｓ２で取得したシェーディング補正用データを用いて、Ｓ３でオフセット補正の施された１０枚の各画像データに対してシェーディング補正を施す（Ｓ４）。なお、Ｓ３のオフセット補正で用いられる０ｍＲの画像データは、１０ｍＲの画像データを取得したときの撮影部の角度と同じ９０度で取得されたものであり、Ｓ４のシェーディング補正で用いられるシェーディング補正用データも９０度で取得されたものである。
【０１１５】
そして、Ｓ４でシェーディング補正の施された１０枚の画像データを平均して平均画像データを算出し（Ｓ５）、その平均画像データをストラクチャ補正用データとして取得する（Ｓ６）。
【０１１６】
つまり、上記ようにオフセット補正用データおよびシェーディング補正用データについては、４つの角度に対応するものを取得し、ストラクチャ補正用データについては９０度に対応するものを取得する。
【０１１７】
次に、被写体の放射線画像の画像データの補正方法について説明する。
【０１１８】
まず、撮影部の角度を所望の角度に設定して、被写体の放射線画像の画像データを取得する（Ｓ７）。画像データの取得方法については、上記で説明した方法と同様である。
【０１１９】
次に、上記のようにして取得された４つの角度のオフセット補正用データを用いて、Ｓ７で取得した画像データに対して、上記設定した角度に対応するオフセット補正を施す（Ｓ８）。なお、上記設定した角度に対応するオフセット補正用データの取得方法については、上述したとおりである。
【０１２０】
次に、上記のようにして取得された４つの角度のシェーディング補正用データを用いて、Ｓ８でオフセット補正の施された画像データに対して、上記設定した角度に対応するシェーディング補正を施す（Ｓ９）。
【０１２１】
そして、上記のようにして取得されたストラクチャ補正用データを用いて、Ｓ９でシェーディング補正の施された画像データに対してストラクチャ補正を施す。
【０１２２】
以上、従来の補正データの取得方法および補正方法について説明したが、ここで、上記のようにして取得したシェーディング補正用データにはランダムノイズがのっている。そして、ストラクチャ補正用データを取得する際にもシェーディング補正が施されるが、このとき用いられるシェーディング補正用データは、上述したように１０ｍＲの画像データに対応する角度と同じ９０度に対応するシェーディング補正データあり、この９０度に対応するシェーディング補正用データにおけるランダムノイズの一部がストラクチャ補正用データにのることになる。
【０１２３】
一方、被写体の画像データにもシェーディング補正が施されるが、このとき用いられるシェーディング補正用データは、被写体を撮影するときに設定された角度に対応するシェーディング補正用データであり、このシェーディング補正用データにもランダムノイズがのっているため、このランダムノイズの一部が、シェーディング補正の施された被写体の画像データにのることになる。
【０１２４】
そして、被写体を撮影するときに設定された角度が、ストラクチャ補正用データに対応する角度である９０度と異なる場合には、シェーディング補正の施された被写体の画像データにのるランダムノイズとストラクチャ補正用データにのるランダムノイズとが異なることになり、上記のようにストラクチャ補正を施すと、これらのランダムノイズが合成され、最終的に得られる画像データにノイズとしてのることになる。なお、被写体を撮影するときに設定された角度が、ストラクチャ補正用データに対応する角度と同じ場合には、上記のような問題は生じない。
【０１２５】
そこで、上記のようなストラクチャ補正によるノイズの発生を防止するため、図１９に示すように、ストラクチャ補正用データを作成するための１０ｍＲの画像データについても、０ｍＲや３ｍＲの画像データと同様に４つの角度について取得し（Ｓ１１）、その４つの角度の０ｍＲ、３ｍＲの画像データに基づいて作成されたシェーディング補正用データとオフセット補正用データを用いて、各角度の１０ｍＲの画像データに角度に応じたオフセット補正およびシェーディング補正を施し（Ｓ１２，Ｓ１３）、そのオフセット補正およびシェーディング補正を施された各角度の画像データをそれぞれ平均して４つの平均画像データをストラクチャ補正用データとして取得する（Ｓ１４，Ｓ１５）。そして、補正をする際には、図１９に示すように、被写体の画像データに対して、上記と同様にして角度に応じたオフセット補正およびシェーディング補正を施した後（Ｓ１６，Ｓ１７，Ｓ１８）、上記のようにして取得された４つの角度についてのストラクチャ補正用データに基づいて、被写体を撮影するときに設定された角度に対応するシェーディング補正用データを生成し、上記角度に対応したストラクチャ補正を施す（Ｓ１９）方法が考えられる。
【０１２６】
しかしながら、上記のような方法では、４つの角度についてそれぞれ１０ｍＲの画像データを１０枚ずつ取得する必要があり、膨大な手間と時間がかかるとともに、その画像データを記憶するメモリも大容量のものが必要となりコストアップとなる。
【０１２７】
また、上記のようなノイズの発生を防止する別の方法として、図２０に示すように、上記のようにして４つの角度で０ｍＲの画像データと３ｍＲの画像データを取得するとともに、９０度の角度で１０ｍＲの画像データを１０枚取得し（Ｓ２１）、この１０ｍＲの画像データに上記のようにオフセット補正もシェーディング補正も施すことなく、これらの画像データを平均化して平均画像データを取得しておく（Ｓ２２）。そして、補正をする際には、図２０に示すように、被写体の画像データに対して、上記と同様にして角度に応じたオフセット補正およびシェーディング補正を施した後（Ｓ２３，Ｓ２４，Ｓ２５）、ストラクチャ補正を施す際に、被写体を撮影するときに設定された角度に対応するシェーディング補正用データおよびオフセット補正用データを用いて、上記のようにして取得した平均画像データに対してオフセット補正およびシェーディング補正を施してストラクチャ補正用データを作成し（Ｓ２６，Ｓ２７，Ｓ２８）、そのストラクチャ補正用データを用いて被写体の画像データに対してストラクチャ補正を施す（Ｓ２９）方法が考えられる。
【０１２８】
しかしながら、上記のように被写体の撮影の角度が設定される都度、ストラクチャ補正用データを生成してストラクチャ補正を施すようにしたのでは、ストラクチャ補正用データを作成する時間が増大し、放射線画像が得られるまで時間を要するので、技師、被写体を待たせることになる。
【０１２９】
上記のような問題を解決するため、本放射線撮影システム１００において採用した補正データの取得方法について、以下に説明する。なお、本放射線撮影システム１００においては、撮影部２の角度が０度、６０度、９０度および１１０度に対応する４つのシェーディング補正用データおよびオフセット補正用データを取得するとともに、１つの全角度対応ストラクチャ補正用データを取得する。
【０１３０】
まず、撮影部２の角度が９０度に対応するシェーディング補正用データおよびオフセット補正用データと、全角度対応ストラクチャ補正用データの取得方法について、図２１のフローチャートを用いて説明する。
【０１３１】
まず、撮影部２の角度が９０度に設定され、３ｍＲの線量で撮影されたべた画像の画像データＡ１（ｍ，ｎ）、０ｍＲの画像データがそれぞれ一枚ずつ取得されるとともに、１０ｍＲの線量で撮影されたべた画像の画像データＢ１（ｍ，ｎ，ｉ）が１０枚取得される（Ｓ３１）。なお、ｍとｎは、画像データがｍ行ｎ列であることを意味する。また、ｉは、画像データが１０枚あるので、１〜１０の数値を意味する。
【０１３２】
そして、０ｍＲの画像データは、９０度に対応するオフセット補正データとして取得され、記憶部６１に記憶される。
【０１３３】
次に、上記のようにして取得した９０度に対応するオフセット補正データを用いて、３ｍＲの画像データＡ１（ｍ，ｎ）と１０ｍＲの画像データＢ１（ｍ，ｎ，ｉ）に対してオフセット補正を施して、Ａ２（ｍ，ｎ）とＢ２（ｍ，ｎ，ｉ）を取得する（Ｓ３２）。
【０１３４】
そして、Ｓ３２で取得したＢ２（ｍ，ｎ，ｉ）を平均して１枚の平均画像データＢ３（ｍ，ｎ）を取得する（Ｓ３３）。この平均画像データＢ３（ｍ，ｎ）は一時保存される。
【０１３５】
次に、Ｓ３２で取得されたＡ２（ｍ，ｎ）とＳ３３で取得されたＢ３（ｍ，ｎ）のそれぞれについて、各列を平均して横１ラインのデータＡ３（ｍ）とＢ４（ｍ）とが取得される（Ｓ３４）。そして、Ａ３（ｍ）とＢ４（ｍ）とを用いて、横方向変換値Ｃ１（ｍ）＝Ａ３（ｍ）／Ｂ４（ｍ）が計算される（Ｓ３５）。
【０１３６】
そして、Ｓ３５で取得したＣ１（ｍ）とＳ３３で取得したＢ３（ｍ，ｎ）とを用いて、横方向変換画像データＢ５（ｍ，ｎ）＝Ｃ１（ｍ）×Ｂ３（ｍ，ｎ）×定数が算出される（Ｓ３６）。上記のようにしてＢ５（ｍ，ｎ）を算出することで、Ｂ５（ｍ，ｎ）は、横方向と縦方向のノイズは１０ｍＲの画像データを１０枚平均化したものに相当し（つまり、ランダムノイズなし）、横方向のシェーディングは３ｍＲの画像データに相当し、縦方向のシェーディングはもとの１０ｍＲの画像データのままとなる。つまり、１０ｍＲの１０枚の画像データの横方向プロファイルを３ｍＲに合わせた。
【０１３７】
次に、Ｓ３２で取得されたＡ２（ｍ，ｎ）とＳ３６で取得されたＢ５（ｍ，ｎ）のそれぞれについて、各行を平均して縦１ラインのデータＡ４（ｎ）とＢ６（ｎ）とが取得される（Ｓ３７）。そして、Ａ４（ｎ）とＢ６（ｎ）とを用いて、縦方向変換値Ｃ２（ｎ）＝Ａ４（ｎ）／Ｂ６（ｎ）が計算される（Ｓ３８）。
【０１３８】
そして、Ｓ３８で取得したＣ２（ｎ）とＳ３６で取得したＢ５（ｍ，ｎ）とを用いて、Ｃ２（ｎ）×Ｂ５（ｍ，ｎ）×定数が算出され、これに所定のフィルタ処理を施すことによって縦方向変換画像データＢ７（ｍ，ｎ）が算出される（Ｓ３９）。そして、このＳ３９で算出されたＢ７（ｍ，ｎ）が９０度に対応するシェーディング補正用データとして取得され、記憶部６１に記憶される。
【０１３９】
そして、Ｓ３９で取得された９０度に対応するシェーディング補正用データＢ７（ｍ，ｎ）を用いて、Ｓ３３で取得された平均画像データＢ３（ｍ，ｎ）に対してシェーディング補正を施すことにより全角度対応のストラクチャ補正用データＢ８（ｍ，ｎ）が取得され（Ｓ４０）、この全角度対応ストラクチャ補正用データＢ８（ｍ，ｎ）は記憶部６１に記憶される。なお、Ｂ８（ｍ，ｎ）は、Ｂ３（ｍ，ｎ）／Ｂ７（ｍ，ｎ）×定数を算出し、これに所定のフィルタ処理を施すことによって求めることができる。なお、Ｂ７（ｍ，ｎ）は、Ｓ３６とＳ３９で別の画像のシェーディングを持つようになったため、Ｂ３（ｍ、ｎ）と元画像が同じでもＢ３（ｍ，ｎ）をシェーディング補正することができる。また、Ｂ７（ｍ，ｎ）は、Ｓ３６とＳ３９で従来と同じフィルタ処理によってストラクチャを失っているため、Ｂ３（ｍ，ｎ）をＢ７（ｍ，ｎ）で除算してもつるつるの画像にならず、適切なストラクチャの残った画像となる。
【０１４０】
結局、図２２のＳ３４からＳ３９においては、シェーディング補正用データを作成するために取得した３ｍＲの画像データとストラクチャ補正用データを取得するために取得した１０ｍＲの画像データとに基づいて規格化係数を算出し、その規格化係数を用いてストラクチャ補正用データを取得するために取得した１０ｍＲの画像データを規格化して９０度に対応するシェーディング補正用データを求め、そのシェーディング補正用データを用いて１０ｍＲの画像データの平均画像データにシェーディング補正を施すことによって全角度対応ストラクチャ補正用データを取得している。
【０１４１】
次に、撮影部２の角度が０度、６０度、１１０度に対応するシェーディング補正用データおよびオフセット補正用データを取得する方法について、図２２のフローチャートを用いて説明する。
【０１４２】
まず、撮影部２の角度がθ（０度、６０度または１１０度）に設定され、３ｍＲの線量で撮影されたべた画像の画像データＡ１（ｍ，ｎ）、０ｍＲの画像データがそれぞれ一枚ずつ取得される（Ｓ４１）。
【０１４３】
そして、０ｍＲの画像データは、角度θに対応するオフセット補正データとして取得され、記憶部６１に記憶される。
【０１４４】
次に、上記のようにして取得した角度θに対応するオフセット補正データを用いて、３ｍＲの画像データＡ１（ｍ，ｎ）に対してオフセット補正を施して、Ａ２（ｍ，ｎ）を取得する（Ｓ４２）。
【０１４５】
そして、Ｓ４２で取得されたＡ２（ｍ，ｎ）と全角度対応ストラクチャ補正用データを作成する際に図２２のＳ３３で取得された平均画像データＢ１（ｍ，ｎ）（なお、図２２の説明ではＢ３（ｍ，ｎ）と名称をつけているが同じものである）のそれぞれについて、各列を平均して横１ラインのデータＡ３（ｍ）とＢ２（ｍ）とが取得される（Ｓ４３）。そして、Ａ３（ｍ）とＢ２（ｍ）とを用いて、横方向変換値Ｃ１（ｍ）＝Ａ３（ｍ）／Ｂ２（ｍ）が計算される（Ｓ４４）。
【０１４６】
そして、Ｓ４４で取得したＣ１（ｍ）と平均画像データＢ１（ｍ，ｎ）とを用いて、横方向変換画像データＢ３（ｍ，ｎ）＝Ｃ１（ｍ）×Ｂ１（ｍ，ｎ）×定数が算出される（Ｓ４５）。上記のようにしてＢ３（ｍ，ｎ）を算出することで、Ｂ３（ｍ，ｎ）は、横方向と縦方向のノイズは１０ｍＲの画像データを１０枚平均化したものに相当し（つまり、ランダムノイズなし）、横方向のシェーディングは３ｍＲの画像データに相当し、縦方向のシェーディングはもとの１０ｍＲの画像データのままとなる。つまり、１０ｍＲの１０枚の画像データの横方向プロファイルを３ｍＲに合わせた。
【０１４７】
次に、Ｓ４２で取得されたＡ２（ｍ，ｎ）とＳ４５で取得されたＢ３（ｍ，ｎ）のそれぞれについて、各行を平均して縦１ラインのデータＡ４（ｎ）とＢ４（ｎ）とが取得される（Ｓ４６）。そして、Ａ４（ｎ）とＢ４（ｎ）とを用いて、縦方向変換値Ｃ２（ｎ）＝Ａ４（ｎ）／Ｂ４（ｎ）が計算される（Ｓ４７）。なお、Ｓ４６は、実際には、ラインセンサを構成するＣＣＤが５つあるので、各ＣＣＤ領域毎に縦１ラインとする。画像全体では縦５ラインで計算する。
【０１４８】
そして、Ｓ４７で取得したＣ２（ｎ）とＳ４５で取得したＢ３（ｍ，ｎ）とを用いて、Ｃ２（ｎ）×Ｂ３（ｍ，ｎ）×定数が算出され、これに所定のフィルタ処理を施すことによって縦方向変換画像データＢ５（ｍ，ｎ）が算出される（Ｓ４８）。そして、このＳ４８で算出されたＢ５（ｍ，ｎ）が角度θに対応するシェーディング補正用データとして取得され、記憶部６１に記憶される。上記のようにしてシェーディング補正用データＢ５（ｍ，ｎ）を算出することで、Ｂ５（ｍ，ｎ）は、横方向と縦方向のノイズは１０ｍＲの画像データを１０枚平均化したものに相当し（つまり、ランダムノイズなし）、縦方向および横方向のシェーディングは３ｍＲの画像データに相当するものとなる。
【０１４９】
結局、図２３のＳ４３からＳ４８においては、シェーディング補正用データを作成するために取得した角度θに対応する３ｍＲの画像データとストラクチャ補正用データを取得するために取得した９０度に対応する１０ｍＲの画像データとに基づいて規格化係数を算出し、その規格化係数を用いてストラクチャ補正用データを取得するために取得した９０度に対応する１０ｍＲの画像データを規格化して角度θに対応するシェーディング補正用データを求めている。
【０１５０】
本放射線撮影システム１００においては、上記のようにしてオフセット補正用データ、シェーディング補正用データおよびストラクチャ補正用データを取得するようにしたので、９０度に対応する１０ｍＲの画像データのみで全角度対応のストラクチャ補正用データを作成することができる。
【０１５１】
なお、シェーディング補正用データおよびストラクチャ補正用データを取得するために行なわれた計算は、全て図９の補正データ算出部６２で行なわれるものとする。
【０１５２】
そして、上記のようにして取得された補正データを用いて補正をする際には、まず、撮影部２の角度を所望の角度に設定して、被写体の放射線画像の画像データを取得する。画像データの取得方法については、上記で説明した方法と同様である。
【０１５３】
次に、上記のようにして取得された４つの角度のオフセット補正用データを用いて、被写体の画像データに対して、上記設定した角度に対応するオフセット補正を施す。なお、上記設定した角度に対応するオフセット補正用データの取得方法については、上述したとおりである。
【０１５４】
次に、上記のようにして取得された４つの角度のシェーディング補正用データを用いて、オフセット補正の施された画像データに対して、上記設定した角度に対応するシェーディング補正を施す。
【０１５５】
そして、上記のようにして取得された全角度対応のストラクチャ補正用データを用いて、シェーディング補正の施された画像データに対してストラクチャ補正を施す。
【図面の簡単な説明】
【０１５６】
【図１】本発明の放射線画像記録読取装置の一実施形態を用いた放射線撮影システムの概略構成を示す斜視図
【図２】図１に示す放射線撮影システムの側面図
【図３】図１に示す放射線撮影システムの上面図
【図４】撮影部の水平方向に対する角度が９０度のときの放射線撮影システムの態様を示す図
【図５】撮影部の水平方向に対する角度が４５度のときの放射線撮影システムの態様を示す図
【図６】撮影部の内部の構成を示す図
【図７】撮影部の内部の構成を示す図
【図８】（Ａ）放射線画像撮影時における放射線変換パネルの位置を示す図、（Ｂ）放射線画像を読取るときの放射線変換パネルの位置を示す図
【図９】放射線撮影システムの制御ユニットの構成を示すブロック図
【図１０】（Ａ）撮影部の水平方向に対する傾きが６０度のときの態様を示す図、（Ｂ）撮影部の水平方向に対する角度が１１０度のときの態様を示す図
【図１１】従来の放射線撮影システムにおける撮影部内の読取ユニットの設置状態を示す図
【図１２】本発明の放射線幸影システムにおける撮影部内の読取ユニットの設置状態を示す図
【図１３】本発明の放射線幸影システムにおける撮影部内の読取ユニットの設置状態を示す図
【図１４】本発明の放射線幸影システムにおける撮影部内の読取ユニットの設置状態を示す図
【図１５】従来の放射線撮影システムにおけるグリッドカバーの開閉状態を検出する機構を示す図
【図１６】撮影部内の読取ユニットの位置が移動する様子を説明するための図
【図１７】本発明の放射線撮影システムにおけるグリッドカバーの開閉状態を検出する機構を示す図
【図１８】従来の放射線撮影システムにおけるストラクチャ補正用データの作成方法およびストラクチャ補正方法を説明するためのフローチャート
【図１９】その他のストラクチャ補正用データの作成方法およびストラクチャ補正方法を説明するためのフローチャート
【図２０】その他のストラクチャ補正用データの作成方法およびストラクチャ補正方法を説明するためのフローチャート
【図２１】本発明の放射線撮影システムにおける全角度対応ストラクチャ補正用データの取得方法を説明するためのフローチャート
【図２２】本発明の放射線撮影システムにおけるシェーディング補正用データの取得方法を説明するためのフローチャート
【符号の説明】
【０１５７】
１    放射線源
２    撮影部
２ａ    筐体
２ｂ    グリッドカバー
２ｃ    突起
３    アーム支持部
４    支柱
５    被写体
６    アーム回転駆動部
７    補助ベッド
１０    放射線変換パネル
１１    グリッド
１５    支持部
１６    読取ユニット
１７    背面側防振ゴム
１８    底面側防振ゴム
２０    励起光照射部
２１    励起光光源
２２    集光光学系
３０    検出部
３１    結像レンズ
３２    ラインセンサ
３３    励起光カットフィルタ
４０    読取部
５０    傾き検出器
６０    制御ユニット
７０    第１の固定ゴム
７１    支持部材
７２    第２の固定ゴム
８０    板バネ
８０ａ    突起
８１    バネ
８２    センサ
９０    第１のアクチュエータ
９１    第１のねじりバネ
９２    第２のねじりバネ
９３    第２のアクチュエータ
９４    センサ
【図１】
2009082275.tif 000004
【図２】
2009082275.tif 000005
【図３】
2009082275.tif 000006
【図４】
2009082275.tif 000007
【図５】
2009082275.tif 000008
【図６】
2009082275.tif 000009
【図７】
2009082275.tif 000010
【図８】
2009082275.tif 000011
【図９】
2009082275.tif 000012
【図１０】
2009082275.tif 000013
【図１１】
2009082275.tif 000014
【図１２】
2009082275.tif 000015
【図１３】
2009082275.tif 000016
【図１４】
2009082275.tif 000017
【図１５】
2009082275.tif 000018
【図１６】
2009082275.tif 000019
【図１７】
2009082275.tif 000020
【図１８】
2009082275.tif 000021
【図１９】
2009082275.tif 000022
【図２０】
2009082275.tif 000023
【図２１】
2009082275.tif 000024
【図２２】
2009082275.tif 000025